(57)【要約】【課題】軽量かつコンパクトで操作性がよく、かつ移動性に優れた有害鳥獣類の防除装置を提供すること。【解決手段】本発明は、爆発筒と、爆発筒に連結されたガス混合管と、ガス混合管に取り付けられた点火プラグと、カセットガスボンベを取り付けるカセットボンベホルダーと、カセットガスボンベに連結されるガス圧力調整器と、ガス圧力調整器に連結された電磁弁と、爆発を制御するコントローラーと、ガス圧力調整器とガス混合管を連結する燃料ガス供給パイプと、コントローラーと点火プラグを連結する導線、および燃料ガスを供給するカセットガスボンベとからなり、これらを架台に組み込んで一体に構成された有害鳥獣類の防除装置である。【選択図】        図１
2004254584.tif 000002
【特許請求の範囲】
【請求項１】
爆発音によって有害鳥獣を防除する爆音機であって、爆発筒と、爆発筒に連結されたガス混合管と、ガス混合管に取り付けられた点火プラグと、カセットガスボンベを取り付けるカセットボンベホルダーと、カセットガスボンベに連結されるガス圧力調整器と、ガス圧力調整器に連結された電磁弁と、爆発を制御するコントローラーと、ガス圧力調整器とガス混合管を連結する燃料ガス供給パイプと、コントローラーと点火プラグを連結する導線、および燃料ガスを供給するカセットガスボンベとから構成される有害鳥獣類の防除装置。
【請求項２】
爆発筒、ガス混合管、ガス圧力調整器、カセットボンベホルダー、ガス供給パイプ、コントローラー、およびカセットガスボンベが、架台上または架台内部に一体的に組み込まれた構造であることを特徴とする、請求項１記載の有害鳥獣類の防除装置。
【請求項３】
爆音機の各構成部材および架台が折りたたみ式の構造であることを特徴とする、請求項１または２記載の有害鳥獣類の防除装置。
【請求項４】
カセットガスボンベに充填される燃料ガスが、ノーマルブタン、イソブタンまたはこれらのいずれか若しくは両方を５０質量％以上含む液化石油ガスのいずれかであることを特徴とする、請求項１乃至３のいずれかに記載の有害鳥獣類の防除装置。
【請求項５】
ガス混合管における空気と燃料ガスの混合比が、空気に対する燃料ガスの容積％として、１．８〜８．４％であることを特徴とする、請求項１乃至４のいずれかに記載の有害鳥獣類の防除装置。
【請求項６】
ガス圧力調整器におけるガス圧力が５〜９ｋＰａであることを特徴とする、請求項１乃至５のいずれかに記載の有害鳥獣類の防除装置。
【請求項７】
ガス混合管の入り口部におけるガス圧力が１〜５ｋＰａであることを特徴とする、請求項１乃至６のいずれかに記載の有害鳥獣類の防除装置。
【請求項８】
爆音機が、爆発筒の上部にさらに推進筒と発射筒および打ち上げポールを設け、打ち上げポールに脅し用物体を取り付けた構造であることを特徴とする、請求項１乃至７のいずれかに記載の有害鳥獣類の防除装置。
【発明の詳細な説明】
【０００１】
【発明の属する技術分野】
本発明は、有害鳥獣類の防除装置に関する。更に詳しくは、小型軽量で設置や撤去、移動が容易なガス爆発式の有害鳥獣類の防除装置に関する。
【０００２】
【従来の技術】
近年、カラス、スズメ、ムクドリ、ヒヨドリ、ハトなどの種々の鳥類や、イノシシ、シカ、サル、タヌキ、ハクビシンなどの種々の獣類が田畑や果樹園などの耕作地に進出して農作物を食い荒らすという、これら鳥獣類による農作物の被害（食害）が拡大し、大きな問題になっている。このような農作物に対する鳥獣類からの被害を防止するために、従来から種々の方法が採用されてきている。例えば、防護柵や防護ネットなどを用いて物理的に侵入を防いだり、裸電線に電気を流すことによって、これに触れた鳥獣類に電気ショックを感じさせて、退散させたり、かかしやふくろう、ワシなどのそれぞれの鳥獣類にとっての天敵の擬似体を設置して、脅しによって鳥獣類が接近することを防止したり、アセチレンガスやプロパンガスなどを爆発させてその爆発音によって鳥獣類を威嚇して接近を防止したりする等の様々の方法が行なわれている。
【０００３】
これらのうちでプロパンガスを主成分としたガスを爆発させて、その爆発音によって有害鳥獣類を追い払う方法は、追い払い効果が大きいこと、比較的設置と運転が容易で、運転のためのコストが低いことなどから広く利用されている。
しかし、この爆音機により鳥獣類を追い払う方式は、田畑や果樹園などで同じ場所に設置した状態で、長期間、例えば１ヶ月以上使用していると、鳥獣類が爆発音に慣れることによって、追い払い効果がだんだん減少していく場合があるという問題があった。このような鳥獣類の慣れに対しては、爆音機をある期間ごとに移動させて、爆発音の起こる位置を変化させることが有効な方法である。しかし、プロパンガスを燃料として使用する従来の爆音機では、重量の大きい鋼鉄製のボンベに入ったプロパンガスを燃料として使用するために、装置全体の重量が大きく大型となり、かつ爆発筒などが設けられた爆音機部分、爆発を電気的に制御するコントローラー部分、燃料のガスボンベが一体化することができないので、一度設置するとその場所を移動することは大変な労力を要することとなり、効果を持続させるためにその設置場所を変えるということは困難であった。また、８５０ｋＰａと高い蒸気圧を持つプロパンガスを爆発ガスとして使用するために、爆発音が大きくなるので、人家や道路に近い場所には設置しにくいという設置場所に対する制限があった。
【０００４】
【発明が解決しようとする課題】
したがって本発明は、以上のような従来の方法の問題点を踏まえて、これらの課題を解決した、小型かつ軽量で操作性に優れ、爆発音が従来のものより小さく、移動が簡単で設置場所の制限が少ない有害鳥獣類の防除装置を提供することを目的とするものである。
【０００５】
【課題を解決するための手段】
本発明者らは、このような課題を解決すべく鋭意研究を重ねた結果、従来のプロパンガスに代えて、小型でかつ軽量のカセット式の容器に充填され、蒸気圧が１８０ｋＰａ（ノーマルブタン）、２６０ｋＰａ（イソブタン）と低いブタン系ガスを使用することによって、これらの課題を解決することができることを見出し、本発明を完成した。
【０００６】
即ち、本発明は、以下の内容をその要旨とするものである。
（１）爆発音によって有害鳥獣を防除する爆音機であって、爆発筒と、爆発筒に連結されたガス混合管と、ガス混合管に取り付けられた点火プラグと、カセットガスボンベを取り付けるカセットボンベホルダーと、カセットガスボンベに連結されるガス圧力調整器と、ガス圧力調整器に連結された電磁弁と、爆発を制御するコントローラーと、ガス圧力調整器とガス混合管を連結する燃料ガス供給パイプと、コントローラーと点火プラグを連結する導線、および燃料ガスを供給するカセットガスボンベとから構成される有害鳥獣類の防除装置。
（２）爆発筒、ガス混合管、ガス圧力調整器、カセットボンベホルダー、ガス供給パイプ、コントローラー、およびカセットガスボンベが、架台上または架台内部に一体的に組み込まれた構造であることを特徴とする、前記（１）記載の有害鳥獣類の防除装置。
（３）爆音機の各構成部材および架台が折りたたみ式の構造であることを特徴とする、前記（１）または（２）記載の有害鳥獣類の防除装置。
（４）カセットガスボンベに充填される燃料ガスが、ノーマルブタン、イソブタンまたはこれらのいずれか若しくは両方を５０質量％以上含む液化石油ガスのいずれかであることを特徴とする、前記（１）乃至（３）のいずれかに記載の有害鳥獣類の防除装置。
（５）ガス混合管における空気と燃料ガスの混合比が、空気に対する燃料ガスの容積％として、１．８〜８．４％である前記（１）乃至（４）のいずれかに記載の有害鳥獣類の防除装置。
（６）ガス圧力調整器におけるガス圧力が５〜９ｋＰａで、好ましくは６〜８ｋＰａであることを特徴とする、前記（１）乃至（５）のいずれかに記載の有害鳥獣類の防除装置。
（７）ガス混合管の入り口部におけるガス圧力が１〜５ｋＰａで、好ましくは２〜４ｋＰａであることを特徴とする、前記（１）乃至（６）のいずれかに記載の有害鳥獣類の防除装置。
（８）爆音機が、爆発筒の上部にさらに推進筒と発射筒および打ち上げポールを設け、打ち上げポールに脅し用物体を取り付けた構造であることを特徴とする、前記（１）乃至（７）のいずれかに記載の有害鳥獣類の防除装置。
【０００７】
【発明の実施の形態】
以下において、図面を用いて本発明を更に詳しく説明する。
本発明による有害鳥獣類の防除装置は、例えば図１に示すように、架台１２の上に設置された爆発筒２と、爆発筒２に連結する点火プラグ４を備えたガス混合管３と、燃料ガスのカセットガスボンベ１１を取り付けるカセットボンベホルダー５と、カセットガスボンベ１１に連結されるガス圧力調整器６および電磁弁７と、爆発を制御するコントローラー８と、ガス圧力調整器６とガス混合管３を連結する燃料ガス供給パイプ９と、コントローラー８と点火プラグ４を連結する導線１０とを主要な部材とし、このカセットボンベホルダー５にブタン系ガスを充填したカセットガスボンベ１１を取り付けてなる爆音機１である。
【０００８】
また、本発明の有害鳥獣類の防除装置は、図１からもわかるように、この装置を構成する種々の部材および燃料ガスの供給源としてのカセットガスボンベ１１を架台１２の上部または内部に一体的に組み込んで取り付けた構造としたものである。
更に、本発明の有害鳥獣類の防除装置は、架台の支持棒１３、架台の連結部、架台と爆発筒等の接続部をねじ止め構造としているので、これらのねじ止め部を緩めたり、取り外すことによって、全体を折りたたむことができ、コンパクトな形にまとめることができる構造のものである。
【０００９】
本発明の有害鳥獣類の防除装置は、爆発の燃料としてノーマルブタン、イソブタン、またはこれらのいずれか若しくは両方を５０質量％以上含む液化石油ガス（以下において、これらをまとめて「ブタン系ガス」という）を充填した燃料ガスカセットボンベを使用する。ここで使用するブタン系ガスを充填したカセット式ガスボンベは、家庭用などのカセット式ガスコンロ等のガス器具用として広く販売・使用されており、このブタン系ガスを充填したカセットガスボンベをそのまま使用することができる。このカセットガスボンベ１１をカセットボンベホルダー５に取り付けて使用するが、ガスの供給を安定して行うために、使用環境温度が約５℃以上ではノーマルブタンガス（気化温度：−０．５℃）を主成分としたガスを使用し、それ以下の低い温度の場合には、イソブタンガス（気化温度：−１１．７℃）を主成分とするガスを使用することが好ましい。また、燃料ガスとして、ノーマルブタンガス、イソブタンガスのいずれか又は両方が５０質量％以上含まれていると、本発明の目的である安定した爆発が得られるようになる。
【００１０】
鳥獣類の追い払いに有効な爆発を起こさせるためには、ガス圧力とともに空気とガスの混合比を最適な値にコントロールすることが重要であり、空気に対するブタン系ガスの割合が、燃料ガスの容積％として、１．８〜８．４％、好ましくは３．０〜７．０％となるようにガス混合管の中において調節し、爆発筒に送り込む。本発明の有害鳥獣類の防除装置では、燃料ガスと空気の混合は、ガス混合管３内において、ガスの流れによって空気を引き込むことによって行われる。具体的には、ガス混合管３の燃料ガス噴出孔の付近に空気の導入のために空気導入孔を設けているが、ガス調整器と燃料ガス供給パイプによる燃料ガスの供給量およびガス圧力の調整、空気導入孔の大きさと孔の数、位置を最適に設計することによって上記の混合比になるように調整する。
【００１１】
ガス圧力は、燃料ガスとしてブタン系ガスを使用するため、カセットガスボンベ内のガス圧力が８０〜１２０ｋＰａであったものを、ガス圧力調整器６によって、５〜９ｋＰａに減圧して使用する。これによって爆発に必要なガスの供給が可能になり、さらに６〜８ｋＰａの範囲にさらに調整することによって、安定にガスを供給することができる。また、ガス混合管入り口部での圧力を、ガス調整器６の出口部の流路径と燃料ガス供給パイプの断面積を調整することにより、１〜５ｋＰａに減圧することで必要な空気とガスの混合比にすることが可能になり、２〜４ｋＰａの範囲にさらに調整することによって、より安定に爆発させることができるようになる。
一方、従来使用されているプロパンガスの場合には、常温でボンベ内のガス圧力は１０００〜１５００ｋＰａ（温度によって異なる）であり、これを減圧弁やガス圧力調整器によって７０〜１５０ｋＰａ程度に減圧し、更にガス混合管入り口部での圧力を１０〜３０ｋＰａ程度に減圧して使用している。従って、プロパンガスの場合には、このようにボンベ内のガス圧力が大きいため、厚い鋼鉄で作製された重量の大きいボンベを使用しなければならず、コンパクトで取り扱いやすい装置とすることができない。
【００１２】
図２は本発明の有害鳥獣類の防除装置の他の実施態様を示す。これは図１の本発明の有害鳥獣類の防除装置の爆発筒２の上に、さらに推進筒１４と発射筒１５および打ち上げポール１６を設け、打ち上げポール１６に脅し用の物体１７を取り付けた構造としたものである。これは爆発筒２でのガスの爆発による脅しの効果とともに、爆発時の爆風を推進筒１４において圧力を高めることによって、脅し用の物体１７をポール１６に沿って勢いよく打ち上げ、この脅し用の物体１７の動きによって、鳥獣類を威嚇して追い払うという効果を有する。脅し用物体１７は球状のボールをポールに通し、その上部に脅しに有効な鳥の形や擬人体その他さまざまな形状の物体をポールに通して取り付ける。爆発時にはボールは発射筒１５の中にすっぽりと納まっているが、爆発によってこの発射筒１５から勢いよく打ち出され、この動きによってその上部の脅し用物体１７をポール１６に沿って打ち上げることができる。
【００１３】
図３は従来から使用されているプロパンガス系液化石油ガスを燃料ガスに使用した有害鳥獣類の防除装置の全体構成を示す。この従来の有害鳥獣類の防除装置２０は、爆発筒２１と点火プラグ２３を備えたガス混合管２２からなる爆音機と、コントローラー２４と、プロパンガスを充填したガス圧力調整器２６を備えたガスボンベ２５と、ガスボンベ２５とガス混合管２２を結ぶ燃料供給パイプ２８と、コントローラー２４と点火プラグ２３を結ぶ高電圧導線２９、およびコントローラー２４と電磁弁２７を結ぶ導線３０とから構成されている。このようなプロパンガスを使用した有害鳥獣類の防除装置では、燃料ガスであるプロパンガスが、高耐圧に耐えるように設計された重量の大きい鋼鉄製のボンベに充填されているので、これらの構成部材を一体に組み込んで装置を構成することができず、図３に示すように爆音機およびガスボンベ２５をそれぞれ別個に設置し、大掛かりでかつ重量の大きい装置となってしまう。
【００１４】
以上の説明から明らかなように、本発明の有害鳥獣類の防除装置は燃料ガスとしてカセットガスボンベに充填したブタン系ガスを使用し、装置全体をコンパクトに一体化した構造となっているので、従来のプロパンガスを使用したものに比べて装置全体が小型で一体化されており、しかもプロパンガスのような重量のある鋼鉄製のボンベを使用しないので、装置の重量が軽くなるという特徴を有する。従って、このような特徴から、装置の設置や撤去、移動が容易で、移動性に優れている。鳥獣類は同じ場所で同じ音を発しているとその音に次第に慣れてきて、爆発音による脅し効果が薄れて来るという問題があったが、本発明の有害鳥獣類の防除装置は軽量で、コンパクトで、設置や撤去が容易であるため、設置場所を頻繁に変更することによってこのような問題を解消することができる。また、このような小型軽量で持ち運びが容易という点から、一つの装置をあちこちに移動して使用することによって、広い地域を一台の装置でカバーすることができるというメリットも有する。
【００１５】
次に、本発明の有害鳥獣類の防除装置の動作について説明する。
本発明の有害鳥獣類の防除装置は、ガス圧力調整器６によって圧力調整されたノーマルブタンガスあるいはイソブタンガスなどのブタン系ガスを、爆音機１のガス混合管３に導入して、ここで空気との混合ガスを作り、これを爆発筒２に送り込む。次いで、点火プラグ４で火花放電することによって混合ガスに点火させて爆発筒２の中で混合ガスの爆発を起こさせ、この爆発音によって鳥獣類を脅かし、追い払う。燃料ガスはカセットガスボンベ１１から一定間隔で一定量がガス混合管３に送り込まれ、ガスの送入が終わった段階で点火プラグ４に放電させて爆発させる。これらの一連の動作は、コントローラー８によって電子的に制御されており、コントローラー８からの指示によって、ガス圧力調整器６に取り付けられた電磁弁７を開閉することによってガスを供給し、点火プラグ４を放電させて点火・爆発させる。この場合の電磁弁７の開閉間隔や、点火のタイミングはコントローラー８によって設定することにより、爆発の間隔を任意に調整することができる。また、電磁弁７の開いている時間を調節することによって、爆発筒２への燃料ガスの送入量を調節することができ、この燃料ガスの量の調節によって爆発の大きさや脅し用の物体の飛び上がり高さ・強さを任意に調節することができる。電磁弁７が開いている時間が長いほど爆発が大きくなり、飛び上がり高さ・強さも大きくなる。爆発の間隔は追い払いの対象となる動物の行動習慣や設置場所の周囲の状況によって変わるが、一般的に約１分〜１５分程度が多い。コントローラー８の電源は電池やソーラー電源を使用できるので、特別な電源設備を必要としない。
【００１６】
図１および図２に示す本発明の有害鳥獣類の防除装置は、カセットガスボンベ１１が架台１２に取り付けられているので、架台１２の支持棒１３を取りばずし、架台部分の止めネジと架台１２と爆音機の部材の止めネジを取り外すことによって、全体を折りたたんでコンパクトな形状にすることができる。また、本発明の有害鳥獣類の防除装置を設置する場合は、架台１２と爆音機１を組み立てて、支持棒１３を固定して地面に設置し、架台１２の脚部底板の孔を通して固定用の杭を地面に打ち込んで装置を固定する。また、傾斜面に設置する場合は、支持棒１３の止める位置を調節してできるだけ爆発筒２が鉛直になるように設置する。
【００１７】
以下、実施例により本発明をさらに詳しく説明するが、本発明はこれらにより限定されるものではない。
【００１８】
実施例１：
図１に示す本発明の有害鳥獣類の防除装置を広さ約２０アールの稲田の一方の畦に１台設置した。飛来するスズメの追い払い効果を評価するために、まず、この装置を運転しない状態で、５日間スズメの飛来する数を各８時間観測したところ、初日は２１０羽、２日目以降は３２０羽、３８０羽、２４０羽がそれぞれ飛来した。次に、６日目以降１０日間、本発明の有害鳥獣類の防除装置を運転して、爆発間隔約４分で爆発させたところ、スズメの飛来はほとんど見られず、この装置の追い払い効果が実証された。その後、この装置を１ヶ月にわたって毎日運転したが、２０日程度経過したあとは、スズメは本装置から最も離れた対辺の畔近くに飛来するようになり、その数は２０羽程度まで日を追って徐々に増加した。そこで、本装置をスズメが飛来し始めた対辺の畔に移動させて運転したところ、さらに２０日間観測したが、飛来はなくなった。このように、設置場所を移動することによって、追い払い効果が持続することが判明した。次に、音量測定器を用い、爆発させたときの装置から１０ｍ離れた地点での音量を測定した。比較のため、従来のプロパンガスを用いた爆音機についても測定した。測定結果では、プロパンガスを用いた爆音機では１１０〜１２０ホン程度であったものが、本装置では７５〜８５ホン程度と非常に小さくなり、電車の車内程度の音量にまで小さくすることができた。
【００１９】
実施例２：
図２に示す本発明の有害鳥獣類の防除装置を、広さ約１５アールのサクランボ果樹園のほぼ中央に近い場所に１台設置した。打ち上げポール（高さ約４ｍ）がちょうど棚の上に位置するように調整して、本発明による装置を設置した。飛来するムクドリ、ヒヨドリなどの追い払い効果を評価するために、まず、この装置を運転しない状態で、ムクドリ、ヒヨドリなどの飛来する数を３日間各８時間づつ観測したところ、初日は９０羽、２日目は１５０羽、３日目は５９羽がそれぞれ飛来した。４日目以降２０日間、本発明による装置を運転して、爆発間隔約３分で爆発させ、脅し用の物体を打ち上げたところ、ムクドリ、ヒヨドリなどの飛来は、４日目は７羽、５日目以降は１日当たり１〜２羽程度に減少し、大きな追い払い効果を示すことが実証された。追い払いには、爆発音だけではなく、打ち上げられた脅し用の物体の動きも効果を発揮した。
【００２０】
実施例３：
図１に示す本発明の有害鳥獣類の防除装置を、広さ１０アールの大豆畑のイノシシが出没している箇所に１台設置した。全体で約３分の爆発間隔で夜間に運転したところ、イノシシは全く畑に侵入しなくなった。その後、１８日経過した頃、大豆畑の別の箇所に出没するようになったので、本装置をその箇所に移動させて、同様の条件で運転したところ、以後全く姿を見せなくなり、本装置の追い払いの効果が実証された。このように、本発明による装置は、鳥類、獣類のいずれにも追い払い効果を発揮する。
【００２１】
【発明の効果】
本発明の有害鳥獣類の防除装置は、燃料ガスとして家庭用、あるいは屋外用のガス器具に使用するブタン系ガスを充填したカセットガスボンベを使用することにより、重量が軽く、コンパクトな一体構造とすることができ、その取り扱い、特に設置や撤去、移動を極めて容易に行なうことができ、長期間にわたって追い払い効果も持続する。また、爆発音も小さくすることができ、人家や道路に近い場所にも設置して使用することができる。
【図面の簡単な説明】
【図１】本発明の有害鳥獣類の防除装置の概略を示す斜視図である。
【図２】本発明の他の形態の有害鳥獣類の防除装置の概略を示す斜視図である。
【図３】従来の有害鳥獣類の防除装置の全体構成を示す説明図である。
【符号の説明】
１  爆音機
２  爆発筒
３  ガス混合管
４  点火プラグ
５  カセットボンベホルダー
６  ガス圧力調整器
７  電磁弁
８  コントローラー
９  燃料ガス供給パイプ
１０  導線
１１  カセットガスボンベ
１２  架台
１３  支持棒
１４  推進筒
１５  発射筒
１６  打ち上げポール
１７  脅し用物体
２０  従来の有害鳥獣類の防除装置
２１  爆発筒
２２  ガス混合管
２３  点火プラグ
２４  コントローラー
２５  プロパンガスボンベ
２６  ガス圧力調整器
２７  電磁弁
２８  燃料ガス供給パイプ
２９  導線
３０  電磁弁コード
【図１】
2004254584.tif 000003
【図２】
2004254584.tif 000004
【図３】
2004254584.tif 000005